(57)【要約】【課題】  所定の表示を見るために使用する表示手段を切り換える際のユーザの手間を省くことができ、操作性および利便性が向上した携帯端末装置を提供する。【解決手段】  開閉検出部１４が、携帯電話機１００が折り畳まれていることを検出した場合、制御部１は、第１メモリ４からの画像データを第２表示ドライバ部７に出力し、第２表示部９に画像を表示させるとともに、第２バックライト１１を点灯させる。制御部１は、第２シャッタボタン１３ｂの入力を有効とする。一方、開閉検出部１４が、携帯電話機１００が折り畳まれていないことを検出した場合、制御部１は、第１メモリ４からの画像データを第１表示ドライバ部６に出力し、第１表示部８に画像を表示させるとともに、第１バックライト１０を点灯させる。制御部１は、第１シャッタボタン１３ａの入力を有効とし、第２シャッタボタン１３ｂの入力を無効とする。【選択図】      図１
2008228353.tif 000002
【特許請求の範囲】
【請求項１】
開閉可能に構成される携帯端末装置であって、
前記携帯端末装置の開閉状態を検出する検出手段と、
前記携帯端末装置が閉状態にあるときの内側および外側に位置するようにそれぞれ配置される第１および第２表示手段と、
入射光を電気信号に変換して画像データとして出力する撮像手段と、
前記撮像手段から出力される画像データに基づくファインダ用画像データを、前記第１および第２表示手段のどちらか一方にのみ表示させる表示制御手段とを備え、
前記第１表示手段と前記第２表示手段とは異なる大きさであり、
撮像モード時に前記検出手段が、前記携帯端末装置が閉状態であることを検出すれば、その結果に基づいて前記表示制御手段が前記ファインダ用画像データを前記第２表示手段に出力し、前記第２表示手段をファインダとして使用しつつ撮影することが可能であり、
前記検出手段が、前記携帯端末装置が開状態であることを検出すれば、その結果に基づいて前記表示制御手段が前記ファインダ用画像データを前記第１表示手段に出力し、
前記検出手段が、前記携帯端末装置が閉状態から開状態になったことを検出すれば、前記表示制御手段は、前記携帯電話機が開状態になる前に前記第２表示手段に出力していたファインダ用画像データを、前記第１表示手段に出力することなく、前記携帯電話機が開状態になった後に前記撮像手段が取得した前記ファインダ用画像データの出力先を前記第２表示手段から前記第１表示手段に切り換える携帯端末装置。
【発明の詳細な説明】
【技術分野】
【０００１】
本発明は、折り畳み可能に構成されるとともに、折り畳まれたときの内側および外側にそれぞれ表示手段が配置された携帯端末装置に関し、さらに詳しくはいわゆる折り畳み型のカメラ付携帯電話機のように、入射光を電気信号に変換して画像データとして出力する撮像手段を備えた携帯端末装置に関する。
【背景技術】
【０００２】
折り畳み型のカメラ付携帯電話機として、折り畳まれたときに内側となる面に比較的大きな表示手段であるメインディスプレイを備え、外側となる面に比較的小さな表示手段であるサブディスプレイを備えたものが市販されている。この折り畳み型のカメラ付携帯電話機では、カメラは折り畳まれたときに外側となる面に配置されているものが多い。カメラが外側に配置されている場合、ユーザが自分自身を被写体として撮像するときは、カメラを自分自身に向け、サブディスプレイをファインダとして使用する。また、ユーザが自分以外を被写体として撮像するときは、カメラを自分とは反対側に向け、メインディスプレイをファインダとして使用する。ファインダとして使用するディスプレイの切り換えは、ユーザが切り換え用のボタンを操作して行っている。
【０００３】
また、２つの表示部を備えた携帯端末装置の従来技術として、特許文献１記載の携帯型情報処理装置がある。携帯型情報処理装置は、表示部として、装置を開いた状態で使用するメイン液晶と、メイン液晶よりも小型で、メイン液晶の配置面とは反対側に、メイン液晶とは反対側に表示をするサブ液晶とを備えている。サブ液晶の近傍には、サブ液晶の表示を制御するための表示ボタンが設けられている。この携帯型情報処理装置では、ユーザが表示ボタンを押すと、サブ液晶に電子メールの着信数や電池充電量などの所定の情報が表示されるように構成されている。したがって、この携帯型情報端末装置では、ユーザは装置を開かずに、所定の情報を見ることができる。
【０００４】
【特許文献１】特開平１１−２６５２５４号公報
【発明の開示】
【発明が解決しようとする課題】
【０００５】
上記のような２つの表示手段を備えた折り畳み型のカメラ付携帯電話機では、撮像するときにファインダとして使用する表示手段を切り換えるために、ユーザは切り換え用のボタンを押す操作を行う必要がある。携帯電話機に備えられているボタンは、一般的に小さいので、操作しにくいという問題がある。また、携帯電話機に備えられるボタンは、配置スペースが制約されるので、数に制限があり、専用の切り換えボタンを設けることができない場合がある。この場合は、他の目的で設けられているボタンと表示手段を切り換えるための切り換えボタンとを兼用させることになるので、切り換えボタンを操作する際に手間がかかり、また誤操作が発生しやすいという問題もある。このように、切り換えボタンを操作してファインダとして使用する表示手段を切り換える構成では、撮像の準備に手間がかかるという問題がある。
【０００６】
また、上記の公報に記載された携帯型情報処理装置においても、サブ液晶で所定の情報を見るためには、表示ボタンを押す必要があり、やはり手間がかかるという問題がある。
【０００７】
本発明の目的は、所定の表示を見るために使用する表示手段を切り換える際のユーザの手間を省くことができ、操作性および利便性が向上した携帯端末装置を提供することである。
【課題を解決するための手段】
【０００８】
本発明は、開閉可能に構成される携帯端末装置であって、
前記携帯端末装置の開閉状態を検出する検出手段と、
前記携帯端末装置が閉状態にあるときの内側および外側に位置するようにそれぞれ配置される第１および第２表示手段と、
入射光を電気信号に変換して画像データとして出力する撮像手段と、
前記撮像手段から出力される画像データに基づくファインダ用画像データを、前記第１および第２表示手段のどちらか一方にのみ表示させる表示制御手段とを備え、
前記第１表示手段と前記第２表示手段とは異なる大きさであり、
撮像モード時に前記検出手段が、前記携帯端末装置が閉状態であることを検出すれば、その結果に基づいて前記表示制御手段が前記ファインダ用画像データを前記第２表示手段に出力し、前記第２表示手段をファインダとして使用しつつ撮影することが可能であり、
前記検出手段が、前記携帯端末装置が開状態であることを検出すれば、その結果に基づいて前記表示制御手段が前記ファインダ用画像データを前記第１表示手段に出力し、
前記検出手段が、前記携帯端末装置が閉状態から開状態になったことを検出すれば、前記表示制御手段は、前記携帯電話機が開状態になる前に前記第２表示手段に出力していたファインダ用画像データを、前記第１表示手段に出力することなく、前記携帯電話機が開状態になった後に前記撮像手段が取得した前記ファインダ用画像データの出力先を前記第２表示手段から前記第１表示手段に切り換える携帯端末装置である。
【０００９】
本発明に従えば、携帯端末装置が開いていること、すなわち折り畳まれていないことが検出手段によって検出されると、検出結果は表示制御手段に与えられる。表示制御手段は、検出結果に基づき、携帯端末装置が開かれていることによって外部に現れている第１表示手段に、所定の表示を行わせる。これによって、ユーザは第１表示手段で所定の表示を見ることができる。一方、携帯端末装置が折り畳まれていることが検出手段によって検出されると、検出結果は表示制御手段に与えられる。表示制御手段は、携帯端末装置が折り畳まれたときに外側に位置する第２表示手段に、所定の表示を行わせる。これによって、ユーザは第２表示手段で所定の表示を見ることができる。
【００１０】
このように、ユーザは携帯端末装置を開くまたは折り畳むという操作をするだけで、所定の表示が行われる表示手段を切り換えることができる。したがって、表示手段を切り換えるために、従来技術のような切り換えボタンを操作する必要がなくなり、所定の表示を見るために使用する表示手段を切り換える際のユーザの手間を省くことができ、操作性および利便性が向上する。
【発明の効果】
【００１１】
以上のように本発明によれば、ユーザが携帯端末装置を開くまたは折り畳むという操作をするだけで、所定の表示が行われる表示手段を切り換えることができるので、表示手段を切り換えるために、従来技術のような切り換えボタンを操作する必要がなくなる。これによって、所定の表示を見るために使用する表示手段を切り換える際のユーザの手間を省くことができ、操作性および利便性が向上する。
【発明を実施するための最良の形態】
【００１２】
図１は、本発明の実施の一形態である携帯電話機１００の構成を示すブロック図であり、図２は、携帯電話機１００の外観を示す斜視図である。図２（ａ）は、携帯電話機１００が開いた状態を示しており、図２（ｂ）は、携帯電話機１００が折り畳まれた状態を示している。本実施形態では、携帯端末装置の例として携帯電話機について説明する。携帯電話機１００は、無線電波を介して基地局と無線通信を行い、音声データだけでなく、文字データおよび画像データなどを送受信することができる。また、図２に示すように、携帯電話機１００は、第１および第２筐体３０，３１からなり、第１および第２筐体３０，３１は、ヒンジ３２を介して連結され、ヒンジ３２を軸として角変位自在に動くことで折り畳み可能に構成されている。
【００１３】
図１に示すように携帯電話機１００は、制御部１、撮像部２、画像処理部３、第１メモリ４、第２メモリ５、第１表示ドライバ部６、第２表示ドライバ部７、第１表示部８、第２表示部９、第１バックライト１０、第２バックライト１１、キー操作部１２、第１シャッタボタン１３ａ、第２シャッタボタン１３ｂ、開閉検出部１４、アンテナ１５、無線部１６および通信制御部１７を備えて構成される。
【００１４】
制御部１は、携帯電話機１００を構成する各部位の動作を制御する表示制御手段、シャッタボタン制御手段およびバックライト制御手段である。撮像部２は、撮像レンズと、ＣＣＤ（Charge Coupled Device）イメージセンサあるいはＣＭＯＳ（Complementary Metal
Oxide Semiconductor）イメージセンサなどの撮像素子と、ＲＧＢの３色のカラーフィルタとを備える。撮像部２は、被写体で反射されて撮像レンズに入射した光を、カラーフィルタを通してＲＧＢの３色光にし、ＲＧＢの３色光をそれぞれ前記撮像素子によって電気信号に変換する。また、図２（ｂ）に示すように、撮像部２は、携帯電話機１００が折り畳まれたときの外側に位置するように設けられている。
【００１５】
画像処理部３は、増幅部、Ａ／Ｄ（アナログ／デジタル）変換部、信号処理部からなる。増幅部は、撮像部２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１から送られてくる制御信号に基づいて、信号処理を施した画像データを第１メモリ４に送る。撮像部２および画像処理部３は、入射光を電気信号に変換して画像データとして出力する撮像手段である。第１メモリ４は、信号処理部から連続的に送られてくる画像データを一時的に記憶している。たとえば、時間的に古い画像データは消去する、あるいは最も新しい画像データを上書きすることで一時的に記憶する。
【００１６】
制御部１は、第１および第２表示ドライバ部６，７に制御信号を送信するとともに、第１メモリ４に記憶された画像データを、第１および第２表示ドライバ部６，７に送る。第１および第２表示ドライバ部６，７は、第１および第２表示部８，９に表示しようとする画像データに従って、第１および第２表示部８，９の各画素電極に対して駆動電圧を印加する。第１および第２表示部８，９は、液晶ディスプレイおよびＥＬ（Electro 
Luminescence）ディスプレイなどで実現され、第１および第２表示ドライバ部６，７を介して送られてくる画像データに基づく画像を表示する第１および第２表示手段である。また、図２（ａ）に示すように、第１表示部８は、携帯電話１００が折り畳まれたときの内側に位置するように配置されている。図２（ｂ）に示されるように、第２表示部９は、携帯電話機１００が折り畳まれたときに外側に位置するように配置されている。
【００１７】
第１および第２バックライト１０，１１は、発光素子である発光ダイオードなどから構成され、第１および第２表示部８，９に光を照射して輝度を増加させる。第１および第２バックライト１０，１１の点灯、消灯の制御および輝度調整などの制御は、制御部１によって行われる。また、第１および第２バックライト１０，１１は、各々独立して制御することが可能であり、画像が第１表示部８に表示されているときは第１バックライト１０が、第２表示部９に表示されている場合は第２バックライト１１が点灯するように制御される。なお、第１および第２バックライト１０，１１は、ユーザによって消灯するための所定の操作が行われるまで点灯する構成としてもよいし、点灯してから所定時間が経過すると消灯する構成としてもよい。
【００１８】
キー操作部１２は、数字および文字を入力するためのキーなどから構成される。第１および第２シャッタボタン１３ａ，１３ｂは、第１メモリ４に連続的に送られ、一時的に記憶されている画像データの中からユーザが保存を希望する画像データを、第２メモリ５に記憶させるときに、ユーザによって操作され、記憶させる旨の指示信号を制御部１に出力する。制御部１は、第１および第２シャッタボタン１３ａ，１３ｂからの指示信号に応答して、第１メモリ４に記憶されている画像データを第２メモリ５に記憶させる。なお、第２メモリ５は、第１メモリ４に記憶されている画像データ、およびアンテナ１５を介して受信した各種受信データを記憶する記憶手段である。また、第１シャッタボタン１３ａは、図２（ａ）に示すように、キー操作部１２近傍に配置されるか、もしくは、キー操作部１２のいずれかのキーに割り当てられており、携帯電話１００が折り畳まれたときの内側に位置するように配置されている。第２シャッタボタン１３ｂは、図２（ｂ）に示すように、第２表示部９の近傍など携帯電話１００が折り畳まれたときの外側に位置するように配置されている。なお、２つのシャッタボタン１３ａ，１３ｂを設けることに代えて、１つのシャッタボタンを、携帯電話機１００が折り畳まれていても、開いていても入力可能なように携帯電話機１００側面に設けてもよい。
【００１９】
開閉検出部１４は、携帯電話機１００が折り畳まれているか否かを検出する検出手段である。図２（ａ）に示すように、第１筐体３０下部のヒンジ３２近傍には小さな突起１４ａが形成されており、第２筐体３１上部のヒンジ３２近傍には小さな孔１４ｂが形成されている。孔１４ｂの内部には、図３に示す構造のスイッチ２０が設けられている。開閉検出部１４は、突起１４ａ、孔１４ｂおよびスイッチ２０から構成される。
【００２０】
図３（ａ）はスイッチ２０の断面図である。スイッチ２０は、導電部２１、接点部２２および支持部２３とからなり、導電部２１には導電ゴムなどの導電性材料が用いられ、弾性材からなる支持部２３によって接点部２２と所定の間隔を有するように支持される。接点部２２には、図３（ｂ）の平面図に示すように、櫛形電極２２ａ，２２ｂが用いられている。櫛形電極２２ａ，２２ｂは、第２筐体３１内部の基板２４上であって孔１４ｂに対応する位置に形成されており、それぞれ制御部１に接続している。携帯電話機１００が折り畳まれると、第１筐体３０の突起１４ａが第２筐体３１の孔１４ｂに入り、突起１４ａが導電部２１を接点部２２に押し付ける。このとき、図３（ｂ）の二点鎖線で示す部分に導電部２１が接し、櫛形電極２２ａ，２２ｂは、導電部２１を介して電気的に導通することで櫛形電極２２ａ，２２ｂ間に電流が流れる。制御部１は、この電流を検出することによって、携帯電話機１００が折り畳まれていると判断する。携帯電話機１００が折り畳まれていないときは、突起１４ａが孔１４ｂ内に無いため、導電部２１は支持部２３の弾性力によって接点部２２から離れる。このとき、櫛形電極２２ａ，２２ｂ間には電流は流れないので、制御部１は、携帯電話機１００が折り畳まれていないと判断する。なお、スイッチ２０については前述の構造に限らず、また、開閉検出部１４についても前述の構成に限らず、携帯電話機１００が折り畳まれているか否かを検出できる構成であればよい。
【００２１】
アンテナ１５は、無線電波を介して基地局と無線通信を行うときに、音声データ、文字データおよび画像データなどを送受信する。無線部１６は、受信時は、基地局からアンテナ１５を介して受信したデータを復調し、送信時は、通信制御部１７から送られてくる文字データおよび画像データなどを変調して増幅し、アンテナ１５を介して基地局に送信する。通信制御部１７は、無線部１６が復調した文字データおよび画像データなどの受信データを所定の通信プロトコルに基づいて制御部１に送る。無線部１６、通信制御部１７を介して受信した相手先からの受信データは、第２メモリ５に記憶される。
【００２２】
第１および第２表示部８，９の制御について説明する。
制御部１は、第１メモリ４に一時的に保存されている画像データに基づく画像を表示する表示部を、開閉検出部１４の検出結果に基づいて切り換える。開閉検出部１４によって、携帯電話機１００が折り畳まれていることが検出された場合、制御部１は、第１メモリ４からの画像データを第２表示ドライバ部７に出力し、第２表示部９に画像を表示させる。開閉検出部１４によって、携帯電話機１００が折り畳まれていない（開いている）ことが検出された場合、制御部１は、第１メモリ４からの画像データを第１表示ドライバ部６に出力し、第１表示部８に画像を表示させる。
【００２３】
前述のように撮像部２は、携帯電話機１００が折り畳まれたときの外側に設けられているので、携帯電話機１００のユーザ以外の被写体を撮像するときは、ユーザは、携帯電話機１００を開いた状態で撮像部２をユーザと反対側にある被写体側に向けて撮像する。この状態では、携帯電話機１００が開いていること、すなわち折り畳まれていないことが開閉検出部１４によって検出され、撮像部２から出力された画像データに基づく画像が第１表示部８に表示される。これによって、ユーザは第１表示部８を撮像時のファインダとして使用することができる。
【００２４】
一方、ユーザ自身を被写体として撮像するときは、ユーザは、携帯電話機１００を折り畳んだ状態で撮像部８をユーザ側に向けて撮像する。この状態では、携帯電話機１００が折り畳まれていることが開閉検出部１４によって検出され、撮像部２から出力された画像データに基づく画像が第２表示部９に表示される。これによって、ユーザは第２表示部９を撮影時のファインダとして使用することができる。
【００２５】
このように、ユーザが携帯電話機１００を折り畳むもしくは開くだけで撮像時にファインダとして使用する表示部８，９が適切に切り換わるので、ユーザは表示部８，９を切り換えるために、従来技術のような切り換えボタンを操作する必要がなくなり、ファインダとして使用する表示部８，９を切り換える際のユーザの手間を省くことができ、操作性および利便性が向上する。
【００２６】
なお、携帯電話機１００は、ファインダとして使用する表示部８，９を切り換えるための切換ボタンを備えていてもよい。切換ボタンは、キー操作部１２近傍に配置されるか、もしくは、キー操作部１２のいずれかのキーに割り当てられる。携帯電話１００が開いている状態で、ユーザが切換ボタンを操作すると、ファインダとして使用する表示部８，９が切り換わる。たとえば、ファインダとして使用する表示部が第１表示部８のときに、ユーザが切換ボタンを押すと第２表示部９に切り換わり、ファインダとして使用する表示部が第２表示部９のときに、ユーザが切換ボタンを押すと第１表示部８に切り換わる。
【００２７】
第１および第２シャッタボタン１３ａ，１３ｂの制御について説明する。
制御部１は、開閉検出部１４の検出結果に基づいて、入力が有効なシャッタボタンを切り換える。開閉検出部１４によって、携帯電話機１００が折り畳まれていることが検出された場合、制御部１は、第２シャッタボタン１３ｂの入力を有効とする。開閉検出部１４によって、携帯電話機１００が開いていることが検出された場合、制御部１は、第１シャッタボタン１３ａの入力を有効とし、第２シャッタボタン１３ｂの入力を無効とする。第１および第２シャッタボタン１３ａ，１３ｂの入力を無効とするには、たとえば、第１および第２シャッタボタン１３ａ，１３ｂをユーザが操作できないように固定する、第１および第２シャッタボタン１３ａ，１３ｂを固定せずに、第１および第２シャッタボタン１３ａ，１３ｂから制御部１への指示信号を出力しないようにする、制御部１が第１および第２シャッタボタン１３ａ，１３ｂからの指示信号を処理しないようにするなどの方法で実現できる。
【００２８】
前述のように撮像部２は、携帯電話機１００が折り畳まれたときの外側に設けられているので、携帯電話機１００のユーザ以外の被写体を撮像するときは、ユーザは、携帯電話機１００を開いた状態で撮像部２をユーザと反対側にある被写体側に向けて撮像する。この状態では、携帯電話機１００が開いていることが開閉検出部１４によって検出され、第１シャッタボタン１３ａからの指示が有効となる。ユーザは、ファインダである第１表示部８を見ながら、第１表示部８と同じ側に配置されている第１シャッタボタン１３ａを操作する。
【００２９】
一方、ユーザ以外の被写体を撮像するときは、ユーザは、携帯電話機１００を折り畳んだ状態で撮像部２をユーザ側に向けて撮像する。この状態では、携帯電話機１００が折り畳まれていることが開閉検出部１４によって検出され、第２シャッタボタン１３ｂからの指示が有効となる。ユーザは、ファインダである第２表示部９を見ながら、第２表示部９と同じ側に配置されている第２シャッタボタン１３ｂを操作する。
【００３０】
このように、携帯電話機１００を折り畳むもしくは開くだけでファインダとして使用する第１または第２表示部８，９と同じ側に位置する第１または第２シャッタボタン１３ａ，１３ｂからの指示が有効となるので、ユーザは第１または第２シャッタボタン１３ａ，１３ｂを見て確認しながら入力することができ、操作性が向上する。
【００３１】
また一般的に、ファインダとして使用する表示部と反対側に位置するシャッタボタンは、ユーザから見え難いために、ユーザが携帯電話機１００を把持するときやシャッタボタンの入力以外の操作を行うときに誤って入力してしまう場合がある。本実施形態では、携帯電話機１００を開くだけでファインダとして使用する第１表示部８と反対側に位置する第２シャッタボタン１３ｂからの指示が無効になるので、ユーザによる誤操作を防止することができる。
【００３２】
なお、携帯電話機１００が開いていることが検出されたときに、第２シャッタボタン１３ｂの入力を無効とせず有効としてもよい。この場合、ユーザは第１および第２シャッタボタン１３ａ，１３ｂのどちらも操作することができる。また、第１シャッタボタン１３ａは、折り畳まれたときの内側に配置されているので、携帯電話機１００が折り畳まれているときにはユーザが操作できない。したがって、開閉検出部１４によって、携帯電話機１００が折り畳まれていることが検出されたときの第１シャッタボタン１３ａの入力は、無効または有効のいずれとしてもよい。
【００３３】
第１および第２バックライト１０，１１の制御について説明する。
制御部１は、開閉検出部１４の検出結果に基づいて、第１および第２バックライト１０，１１の点灯、消灯を切り換える。開閉検出部１４によって、携帯電話機１００が折り畳まれていることが検出された場合、制御部１は、第２バックライト１１を点灯し、第２表示部９の輝度を増加させる。開閉検出部１４によって、携帯電話機１００が開いていることが検出された場合、制御部１は、第１バックライト１０を点灯し、第１表示部８の輝度を増加させる。
【００３４】
前述のように、ユーザが被写体をユーザ自身以外として撮像するときは、第１表示部８がファインダとして使用され、撮像部２から取り込まれた画像データが第１表示部８に表示される。このとき、第１バックライト１０が点灯し、第１表示部８の輝度を増加させる。
【００３５】
一方、ユーザが被写体をユーザ自身として撮像するときは、第２表示部９がファインダとして使用され、撮像部２から取り込まれた画像データが第２表示部９に表示される。このとき、第２バックライト１０が点灯し、第２表示部９の輝度を増加させる。
【００３６】
このように、携帯電話機１００を折り畳む、もしくは開くと、ファインダとして使用する表示部に光を供給するバックライトが点灯するので、表示された画像が見やすくなり、視認性が向上する。
【００３７】
図４は、携帯電話機１００の撮像処理を示すフローチャートである。なお、携帯電話機１００は、折り畳まれた状態からでも、開いた状態からでも所定の操作によって撮像可能な状態、いわゆる撮像モードに設定することができる。
【００３８】
まず、ステップＳ１では、制御部１が、開閉検出部１４の検出結果に基づいて携帯電話機１００が折り畳まれているか否かを判断する。折り畳まれずに開いていればステップＳ２に進み、折り畳まれていればステップＳ８に進む。ステップＳ２では、第１バックライト１０を点灯する。ステップＳ３では、撮像部２から取り込んだ画像データを第１表示部８に表示し、ステップＳ４に進む。
【００３９】
ステップＳ４では、制御部１が、開閉検出部１４の検出結果に基づいて携帯電話機１００が折り畳まれているか否かを判断する。開いていればステップＳ５に進み、折り畳まれていれば第１バックライト１０を消灯するとともに第１表示部８の画像表示を中止してステップＳ８に進む。
【００４０】
ステップＳ５では、制御部１が、第２シャッタボタン１３ｂの入力を無効にし、第１シャッタボタン１３ａが押されたか否かを検出する。押されていればステップＳ６に進み、押されていなければステップＳ７に進む。ステップＳ６では、第１メモリ４に一時的に記憶されている画像データを第２メモリ５に記憶してステップＳ７に進む。ステップＳ７では、制御部１が、撮像モードを終了する所定の操作がユーザによって行われたか否かを判断する。操作が行われていれば処理を終了し、行われていなければステップＳ４に戻る。撮像モードが終了すると、第１および第２表示部８，９には所定の待受画面などが表示される。
【００４１】
ステップＳ１で、制御部１によって携帯電話機１００が折り畳まれていると判断されていればステップＳ８に進んで、第２バックライト１１を点灯する。ステップＳ９では、撮像部２から取り込んだ画像データを第２表示部９に表示し、ステップＳ１０に進む。
【００４２】
ステップＳ１０では、制御部１が、開閉検出部１４の検出結果に基づいて携帯電話機１００が折り畳まれているか否かを判断する。開いていれば第２バックライト１１の点灯および第２表示部９への画像表示を中止し、ステップＳ２に進み、折り畳まれていればステップＳ１１に進む。
【００４３】
ステップＳ１１では、制御部１が、第２シャッタボタン１３ｂが押されたか否かを検出する。押されていればステップＳ１２に進み、押されていなければステップＳ１３に進む。ステップＳ１２では、第１メモリ４に一時的に記憶されている画像データを第２メモリ５に記憶してステップＳ１３に進む。ステップＳ１３では、制御部１が、撮像モードを終了する所定の操作がユーザによって行われたか否かを判断する。操作が行われていれば処理を終了し、行われていなければステップＳ１０に戻る。撮像モードが終了すると、第１および第２表示部８，９には所定の待受画面などが表示される。
【００４４】
以上のように、携帯電話機１００の開閉を検出することによって、撮像時のファインダとして使用する表示部が適切に切り換わるので、ユーザは切り換えのためのボタン操作を行う必要がなく、切り換えのための手間が省かれ、操作性および利便性が向上する。また、携帯電話機１００の開閉が検出されることによって、ファインダとなる表示部と同じ側のシャッタボタンの入力が有効となるので、ユーザはシャッタボタンを見て確認しながら入力することが可能となり、操作性が向上する。さらに、ファインダとなる表示部と反対側のシャッタボタンの入力は無効となるので、誤ってシャッタボタンを押してしまうなどの誤操作を防止することができる。また、携帯電話機１００の開閉が検出されることによって、ファインダとなる表示部のバックライトが点灯するので、画像が見やすくなり、視認性が向上する。
【００４５】
なお、図２（ａ），（ｂ）において、第１および第２表示部８，９は、第１筐体３０に配置されている場合を示したが、これに限らず、第１および第２表示部８，９はそれぞれ、携帯電話機１００が折り畳まれたときの内側および外側に位置するように配置すればよい。
【００４６】
また、本実施形態では、携帯端末装置として携帯電話機１００について説明したが、これに限らず、ノート型ＰＣ（パーソナルコンピュータ）、ＰＤＡ（Personal Digital
Assistance）などであって、折り畳み可能に構成され、撮像部とともに、折り畳まれたときの内側および外側にそれぞれ表示部を備える構成であれば、本発明は適用可能である。
【００４７】
さらに、表示部８，９をファインダとして使用する場合に限らず、所定の表示を表示部８，９に表示させる場合に、表示させる表示部の切り換えを携帯電話機１００の開閉を検出して行うようにしてもよい。
【００４８】
本発明は、以下の実施の形態が可能である。
（１）折り畳み可能に構成される携帯端末装置であって、
前記携帯端末装置が折り畳まれているか否かを検出する検出手段と、
前記携帯端末装置が折り畳まれたときの内側および外側に位置するようにそれぞれ配置される第１および第２表示手段と、
入射光を電気信号に変換して画像データとして出力する撮像手段と、
前記撮像手段から出力される画像データに基づいて、前記第１および第２表示手段に画像を表示させる表示制御手段とを備え、
前記表示制御手段は、前記検出手段の検出結果に基づき、前記携帯端末装置が折り畳まれていないときは、前記画像データに基づく画像を前記第１表示手段に表示し、前記携帯端末装置が折り畳まれているときは、前記画像データに基づく画像を前記第２表示手段に表示するようにしても良い。
【００４９】
携帯端末装置が開いていることすなわち折り畳まれていないことが検出手段によって検出されると、検出結果は表示制御手段に与えられる。表示制御手段は、検出結果に基づき、携帯端末装置が開かれていることによって外部に現れている第１表示手段に、撮像手段から出力された画像データに基づく画像を表示させる。これによって、ユーザは第１表示手段で画像を見ることができ、撮像時のファインダとして第１表示手段を使用できる。一方、携帯端末装置が折り畳まれていることが検出手段によって検出されると、検出結果は表示制御手段に与えられる。表示制御手段は、携帯端末装置が折り畳まれたときに外側に位置する第２表示手段に、撮像手段から出力された画像データに基づく画像を表示させる。これによって、ユーザは第２表示手段で画像を見ることができ、撮像時のファインダとして第２表示手段を使用することができる。
【００５０】
たとえば、撮像手段が、携帯端末装置が折り畳まれたときの外側に位置する第２表示手段と同じ側に設けられている場合を想定する。この場合、携帯端末装置のユーザ以外の被写体を撮像するときは、ユーザは携帯端末装置を開いた状態で、撮像手段をユーザと反対側にある被写体側に向けて撮像する。この状態では、携帯端末装置が開いていること、すなわち折り畳まれていないことが検出手段によって検出され、表示制御手段は検出結果に基づいて、撮像手段から出力された画像データに基づく画像を第１表示手段に表示させる。これによって、ユーザは第１表示手段を撮像時のファインダとして使用することができる。
【００５１】
一方、ユーザ自身を被写体として撮像するときは、ユーザは携帯端末装置を閉じた状態で撮像手段をユーザ側に向けて撮像する。この状態では、携帯端末装置が折り畳まれていることが検出手段によって検出され、表示制御手段は検出結果に基づいて、撮像手段から出力された画像データに基づく画像を第２表示手段に表示させる。これによって、ユーザは第２表示手段を撮影時のファインダとして使用することができる。
【００５２】
このように、ユーザが携帯端末装置を折り畳む、もしくは開くだけで撮像時にファインダとして使用する表示手段が適切に切り換わるので、ユーザは表示手段を切り換えるために、従来技術のような切り換えボタンを操作する必要がなくなり、ファインダとして使用する表示手段を切り換える際のユーザの手間を省くことができ、操作性および利便性が向上する。
【００５３】
（２）前記画像データを記憶する記憶手段と、
前記携帯端末装置が折り畳まれたときの内側および外側に位置するようにそれぞれ配置され、前記画像データの記憶を指示する第１および第２シャッタボタンと、
前記第１および第２シャッタボタンからの指示が有効または無効となるように制御するシャッタボタン制御手段とを備え、
前記シャッタボタン制御手段は、前記検出手段の検出結果に基づき、前記携帯端末装置が折り畳まれていないときは、前記第１シャッタボタンからの指示を有効とし、前記携帯端末装置が折り畳まれているときは、前記第２シャッタボタンからの指示を有効とする携帯端末装置としてもよい。
【００５４】
携帯端末装置が開かれていること、すなわち折り畳まれていないことが検出手段によって検出されると、シャッタボタン制御手段は、携帯端末装置が開かれていることによって外部に現れている第１シャッタボタンからの指示を有効とする。一方、携帯端末装置が折り畳まれていることが検出手段によって検出されると、シャッタ制御手段は、携帯端末装置が折り畳まれたときに外側に位置している第２シャッタボタンからの指示を有効とする。ユーザによって第１または第２シャッタボタンが操作されると、撮像手段から出力されている画像データが記憶手段に記憶される。これによって、画像の撮像が行われる。
【００５５】
上述したように、撮像手段が、携帯端末装置が折り畳まれたときの外側に位置する第２表示手段と同じ側に設けられている場合、携帯端末装置のユーザ以外の被写体を撮像するときは、ユーザは、携帯端末装置を開いた状態で撮像手段をユーザと反対側にある被写体側に向けて撮像する。この状態では、携帯端末装置が開いていることが検出手段によって検出され、第１シャッタボタンからの指示が有効となる。ユーザは、ファインダである第１表示手段を見ながら、第１表示手段と同じ側に配置されている第１シャッタボタンを操作する。
【００５６】
一方、ユーザ以外の被写体を撮像するときは、ユーザは、携帯端末装置を折り畳んだ状態で撮像手段をユーザ側に向けて撮像する。この状態では、携帯端末装置が折り畳まれていることが検出手段によって検出され、第２シャッタボタンからの指示が有効となる。ユーザは、ファインダである第２表示手段を見ながら、第２表示手段と同じ側に配置されている第２シャッタボタンを操作する。
【００５７】
このように、携帯端末装置を折り畳む、もしくは開くだけでファインダとして使用する表示手段と同じ側に位置するシャッタボタンからの指示が有効となるので、ユーザはシャッタボタンを見て確認しながら操作することができ、撮像時の操作性が向上する。
【００５８】
（３）前記シャッタボタン制御手段は、前記検出手段の検出結果に基づき、前記携帯端末装置が折り畳まれていないときは、前記第２シャッタボタンからの指示を無効とする携帯端末装置としてもよい。
【００５９】
携帯端末装置が折り畳まれているとき、すなわち開いているときは、第１シャッタボタンからの指示が有効となるとともに、第２シャッタボタンからの指示が無効となる。
【００６０】
一般的に、ファインダとして使用する表示手段と反対側に位置するシャッタボタンは、ユーザから見え難いために、ユーザが携帯端末装置を把持するときやシャッタボタンの入力以外の操作を行うときに誤って入力してしまう場合がある。本発明では、携帯端末装置が開いた状態では、ファインダとして使用する第１表示手段と反対側に位置する第２シャッタボタンからの指示が無効になるので、ユーザによる誤操作を防止することができる。
【００６１】
（４）光を照射して前記第１および第２表示手段の輝度をそれぞれ増加させる第１および第２バックライトと、
前記第１および第２バックライトが点灯または消灯するように制御するバックライト制御手段とを備え、
前記バックライト制御手段は、前記検出手段の検出結果に基づき、前記携帯端末装置が折り畳まれていないときは、前記第１バックライトを点灯させ、前記携帯端末装置が折り畳まれているときは、前記第２バックライトを点灯させる携帯端末装置としてもよい。
【００６２】
携帯端末装置が開かれていること、すなわち折り畳まれていないことが検出手段によって検出されると、バックライト制御手段は、携帯端末装置が開かれていることによって外部に現れている第１表示手段に光を照射する第１バックライトを点灯する。一方、携帯端末装置が折り畳まれていることが検出手段によって検出されると、バックライト制御手段は、携帯端末装置が折り畳まれたときに外側に位置している第２表示手段に光を照射する第２バックライトを点灯する。
【００６３】
上述したように、撮像手段が、携帯端末装置が折り畳まれたときの外側に位置する第２表示手段と同じ側に設けられている場合、携帯端末装置のユーザ以外の被写体を撮像するときは、ユーザは、携帯端末装置を開いた状態で撮像手段をユーザと反対側にある被写体側に向けて撮像する。この状態では、上記のように第１バックライトが点灯されるので、第１表示手段の輝度が増加する。
【００６４】
一方、ユーザ以外の被写体を撮像するときは、ユーザは、携帯端末装置を折り畳んだ状態で撮像手段をユーザ側に向けて撮像する。この状態では、上記のように第２バックライトが点灯されるので、第２表示手段の輝度が増加する。
【００６５】
このように、撮像時にユーザが携帯端末装置を折り畳むもしくは開くと、ファインダとして使用する表示手段に光を照射するバックライトが点灯するので、表示された画像が見やすくなり、視認性が向上する。
【図面の簡単な説明】
【００６６】
【図１】本発明の実施の一形態である携帯電話機１００の構成を示すブロック図である。
【図２】携帯電話機１００の外観を示す斜視図である。
【図３】スイッチ２０の構造を示す図である。
【図４】携帯電話機１００の撮像処理を示すフローチャートである。
【符号の説明】
【００６７】
１  制御部
２  撮像部
３  画像処理部
４  第１メモリ
５  第２メモリ
６  第１表示ドライバ部
７  第２表示ドライバ部
８  第１表示部
９  第２表示部
１０  第１バックライト
１１  第２バックライト
１２  キー操作部
１３ａ  第１シャッタボタン
１３ｂ  第２シャッタボタン
１４  開閉検出部
１５  アンテナ
１６  無線部
１７  通信制御部
２０  スイッチ
２１  導電部
２２，２２ａ，２２ｂ  接点部
２３  支持部
２４  基板
３０  第１筐体
３１  第２筐体
３２  ヒンジ
１００  携帯電話機
【図１】
2008228353.tif 000003
【図２】
2008228353.tif 000004
【図３】
2008228353.tif 000005
【図４】
2008228353.tif 000006